(57)【要約】【課題】  本発明は、トイレ使用者の方が手を使わず、自動的に三角形状に折りたたむことが出来るトイレットペーパーホルダーを提供する。【解決手段】  トイレットペーパーの切断、及び折りたたみの後に押さえ作用をする上蓋と、トイレットペーパーを三角形状に形成作用をする三角板と、トイレットペーパーと三角板を包み込み作用をするＬ型アームから構成するトイレットペーパーホルダーにおいて、三角板の切り欠き部を通したトイレットペーパーを両側からＬ型アームが三角板を包み込むように移動することを特徴とする。【選択図】図１
2008220890.tif 000002
【特許請求の範囲】
【請求項１】
切断した後のトイレットペーパーを、押さえ上蓋と三角板、及びＬ型アームの構成と作用によって、自動的に三角折りすることが出来るトイレットペーパーホルダー。
【請求項２】
ロール状のトイレットペーパーを上方に引き出すための切り欠き部を有し、トイレットペーパーを三角形に形作る三角板。
【請求項３】
トイレットペーパーと三角板を包み込む作用をするＬ型アーム。
【発明の詳細な説明】
【技術分野】
【０００１】  本発明は、トイレットペーパー使用切断後にトイレットペーパーの先端部を三角形状に折りたたみ、次の使用者の方が使い易さと清潔感を感じることが出来る三角折りたたみトイレットペーパーホルダーに関するものである。
【背景技術】
【０００２】  従来のトイレットペーパーホルダーは、トイレットペーパーの使用後は切りっぱなしの状態か、もしくは、次の使用者の方が使い易くするために、トイレットペーパーの先端部を手によって三角折りにし体裁を整えていた。しかしながら、前の使用者の方が手を洗わない状態で折りたたむことが、次の使用者の方にとって不潔感を感じる原因でもあった。このようなことは家庭内では感じることは少ないと考えるが、官公庁や病院等の公共施設やホテル等における公衆トイレにおいては、少なからず感じることがあるものと考える。【０００３】  また、図１０（特開２００６−３１４７６４号）に示すように、先端部を三角形状に切断する蓋構造としたトイレットペーパーホルダーも公開されているが、三角形状に折りたたむことは出来なかった。
【特許文献１】  特開２００６−３１４７６４号
【発明の開示】
【発明が解決しようとする課題】
【０００４】  本発明は、上記課題を解決するためになされたものであって、トイレ使用者の方が手を使わず、自動的に三角形状に折りたたむことが出来るトイレットペーパーホルダーを提供することを課題とするものである。
【課題を解決するための手段】
【０００５】  本発明は、上記課題を解決するために、構成する装置は図１及び図４に示すとおりであり、トイレットペーパーの切断、及び折りたたみの後に押さえ作用をする上蓋２と、トイレットペーパーを三角形状に形成作用をする三角板３と、トイレットペーパーと三角板３を包み込み作用をするＬ型アーム４から構成するトイレットペーパーホルダーにおいて、三角板３の切り欠き部を通したトイレットペーパーを両側からＬ型アーム４が三角板３を包み込むように移動することを特徴とするトイレットペーパーホルダー１を解決手段とする。
【発明の効果】
【０００６】  以上の構成する装置と作用からなる本発明によれば、トイレットペーパーを使用切断後、トイレットペーパーの先端部を自動的に三角形状に折りたたむことことによって、次の使用者の方が使い易さと清潔感を感じることが出来るトイレットペーパーホルダーを提供出来る。
【発明を実施するための最良の形態】  以下に本発明を実施するための最良の形態について説明する。【０００７】  装置の作動は、使用者の方が便器の洗浄水を流す時に起動するものとする。通常、１回のトイレ使用ではトイレットペーパーを２〜３回切断して使用するものと思われる。その度に装置が起動することは不要であり、トイレットペーパーを三角形状に折りたたむのは使用者の方がトイレを出る時に起動するものとする。【０００８】  三角板３とトイレットペーパーを包み込むように、Ｌ型アーム４が両側から中心方向に移動する。この時、Ｌ型アーム４に付いているクサビ６が押さえ上蓋２と三角板３との間に入り、Ｌ型アーム４がその間に入るための間隔を確保する。（図６参照）【０００９】  Ｌ型アーム４はトイレットペーパーと三角板３を包み込むように移動するが（図７参照）、この時、トイレットペーパーとの間に摩擦力が作用しなければトイレットペーパーを包み込むことが出来ない。このため、Ｌ型アーム４の内側には、例えばスポンジ材５のような材料を両面に貼り付けておき、摩擦力が作用する構造とする。【００１０】  Ｌ型アーム４は中心方向に移動した後、壁側の方向へ移動することによってトイレットペーパーが三角形状に形作られる。（図８参照）【００１１】  三角板３は、包み込まれて三角形状となったトイレットペーパーを、上蓋２が押さえることが出来る位置まで前方に押し出すように移動する。【００１２】  Ｌ型アーム４はもとの位置に移動する。これに伴い、クサビ６によって上方に持ち上げられていた押さえ上蓋２が三角板３とトイレットペーパーを押さえるように降りる。（図９参照）【００１３】  三角板３がもとの壁側の方向へ移動して、押さえ上蓋２が三角形状に折りたたんだトイレットペーパーを押さえ込むことで装置の動きは終了し、トイレットペーパー先端部が三角形状に折りたたむことが出来る。
【図面の簡単な説明】
【００１４】
【図１】  本発明であるトイレットペーパーホルダー１の斜視図である。
【図２】  本発明であるトイレットペーパーホルダー１の平面図である。
【図３】  本発明であるトイレットペーパーホルダー１の側面図である。
【図４】  本発明であるトイレットペーパーホルダー１を構成する主要な部材図である。
【図５】  本発明であるトイレットペーパーホルダー１のＬ型アーム４の詳細図である。
【図６】  本発明であるトイレットペーパーホルダー１の第１の使用状態（トイレットペーパーを切断した後、Ｌ型アーム４が両側から中心方向に移動する）を示した斜視図である。
【図７】  本発明であるトイレットペーパーホルダー１の第２の使用状態（Ｌ型アーム４が三角板３とトイレットペーパーを包み込み、同時にクサビ６が押さえ上蓋と三角板３との間隔を確保する）を示した斜視図である。
【図８】  本発明であるトイレットペーパーホルダー１の第３の使用状態（Ｌ型アーム４が壁側に移動した後、三角板３が包み込んだトイレットペーパーを前に押し出す）を示した斜視図である。
【図９】  本発明であるトイレットペーパーホルダー１の第４の使用状態（押さえ上蓋２が三角形状になったトイレットペーパーを押さえ込む）を示す斜視図である。
【図１０】  従来のトイレットペーパーを示す図である。
【符号の説明】
【００１５】  １：トイレットペーパーホルダー
２：押さえ上蓋
３：三角板
４：Ｌ型アーム
５：スポンジ材
６：クサビ
７：Ｌ型アームガイド部
８：押さえ上蓋と三角板の回転軸
９：Ｌ型アーム収納部
１０：トイレットペーパー保持部
【図１】
2008220890.tif 000003
【図２】
2008220890.tif 000004
【図３】
2008220890.tif 000005
【図４】
2008220890.tif 000006
【図５】
2008220890.tif 000007
【図６】
2008220890.tif 000008
【図７】
2008220890.tif 000009
【図８】
2008220890.tif 000010
【図９】
2008220890.tif 000011
【図１０】
2008220890.tif 000012